(57)【要約】【課題】血液測定装置における高濃度試薬の消費量を抑制できる血液測定装置および血液測定装置の制御方法を提供する。【解決手段】試薬調製ユニット３０は、純水を貯留するための純水貯留部３２と、高濃度試薬および純水を混合して調製された低濃度試薬を貯留するための試薬貯留部３４と、を備える。測定ユニット４０は、血液検体および低濃度試薬を混合して第１測定試料を調製するための第１試料調製部６１と、第１測定試料中の赤血球を測定するための測定部７０と、純水貯留部３２および試薬貯留部３４に接続され、純水および低濃度試薬を供給するための流体供給部４２と、を備える。制御部４１は、測定ユニット４０の洗浄動作を行う際に、測定試料の測定結果に影響がある部位は試薬を用いて洗浄し、測定試料の測定結果に影響がある部位よりも影響が少ない部位は純水を用いて洗浄するよう流体供給部４２を制御する。【選択図】図１
2019148608.tif 000002
【特許請求の範囲】
【請求項１】
高濃度試薬を貯留するための高濃度試薬貯留部と、前記高濃度試薬を希釈する純水を貯留するための純水貯留部と、前記高濃度試薬および前記純水を混合して調製された試薬を貯留するための試薬貯留部と、を備える試薬調製ユニットと、
血液検体および前記試薬を混合して測定試料を調製するための試料調製部と、前記測定試料中の赤血球を測定するための測定部と、前記純水貯留部および前記試薬貯留部に接続され、前記純水および前記試薬を供給するための流体供給部と、を備える測定ユニットと、
前記流体供給部の動作を制御する制御部と、を備え、
前記制御部は、前記測定ユニットの洗浄動作を行う際に、前記測定試料の測定結果に影響がある部位は前記試薬を用いて洗浄し、前記測定試料の測定結果に影響がある部位よりも影響が少ない部位は純水を用いて洗浄するよう前記流体供給部を制御する、血液測定装置。
【請求項２】
前記制御部は、前記測定ユニットの洗浄動作を切り替えるように前記流体供給部を制御する、請求項１に記載の血液測定装置。
【請求項３】
前記制御部は、前記測定部の洗浄動作を行うように前記流体供給部を制御する、請求項１または２に記載の血液測定装置。
【請求項４】
前記測定部は、ヘモグロビンに関する測定を行うためのヘモグロビン測定部を含み、
前記制御部は、前記純水を用いて前記ヘモグロビン測定部の洗浄を行うよう前記流体供給部を制御する、請求項１ないし３の何れか一項に記載の血液測定装置。
【請求項５】
前記試料調製部は、第１測定試料を調製する第１試料調製部と、第２測定試料を調製する第２試料調製部と、を含み、
前記制御部は、前記純水を用いて前記第２試料調製部の洗浄を行い、前記試薬を用いて前記第１試料調製部の洗浄を行うよう前記流体供給部を制御する、請求項１ないし４の何れか一項に記載の血液測定装置。
【請求項６】
前記測定ユニットは、前記血液検体を吸引するための吸引管をさらに備え、
前記制御部は、前記純水を用いて前記吸引管の外部の洗浄を行い、前記試薬を用いて前記吸引管の内部の洗浄を行うよう前記流体供給部を制御する、請求項１ないし５の何れか一項に記載の血液測定装置。
【請求項７】
前記測定部は、フローセルを備える光学式検出部を含み、
前記光学式検出部は、前記フローセルをシース液とともに流れる前記測定試料を測定し、
前記光学式検出部における前記フローセルのシース液として前記純水を用いる、請求項１ないし６の何れか一項に記載の血液測定装置。
【請求項８】
前記測定部は、フローセルを備える電気抵抗式検出部を含み、
前記電気抵抗式検出部は、前記フローセルをシース液とともに流れる前記測定試料を測定し、
前記電気抵抗式検出部における前記フローセルのシース液として前記試薬を用いる、請求項１ないし７の何れか一項に記載の血液測定装置。
【請求項９】
前記制御部は、前記純水貯留部に異常が生じた場合に、前記流体供給部が供給する前記純水を前記試薬に切り替えるよう前記流体供給部を制御する、請求項１ないし８の何れか一項に記載の血液測定装置。
【請求項１０】
前記純水はＲＯ水である、請求項１ないし９の何れか一項に記載の血液測定装置。
【請求項１１】
血液検体および試薬を混合して測定試料を調製する試料調製部と、前記測定試料を測定する測定部とを備える血液測定装置の制御方法であって、
高濃度試薬および純水を混合して前記試薬を調製し、
前記測定部の洗浄動作を行う場合、前記測定試料の測定結果に影響がある部位は前記試薬を用いて洗浄し、前記測定試料の測定結果に影響がある部位よりも影響が少ない部位は純水を用いて洗浄する、血液測定装置の制御方法。
【請求項１２】
前記測定部の洗浄動作において、前記測定試料の測定結果に影響がある部位と前記測定試料の測定結果に影響がある部位よりも影響が少ない部位とで前記洗浄動作を切り替える、請求項１１に記載の血液測定装置の制御方法。
【請求項１３】
前記測定部の洗浄動作において、前記純水を用いて、ヘモグロビンに関する測定を行うヘモグロビン測定部を洗浄する、請求項１１または１２に記載の血液測定装置の制御方法。
【請求項１４】
前記試薬を用いて第１測定試料を調製する第１試料調製部を洗浄し、前記純水を用いて第２測定試料を調製する第２試料調製部を洗浄する、請求項１１ないし１３の何れか一項に記載の血液測定装置の制御方法。
【請求項１５】
前記純水を用いて前記血液検体を吸引するための吸引管の外部を洗浄し、前記試薬を用いて前記吸引管の内部を洗浄する、請求項１１ないし１４の何れか一項に記載の血液測定装置の制御方法。
【請求項１６】
前記純水を貯留するための純水貯留部に異常が生じた場合に、前記純水を前記試薬に切り替える、請求項１１ないし１５の何れか一項に記載の血液測定装置の制御方法。
【請求項１７】
前記純水はＲＯ水である、請求項１１ないし１６の何れか一項に記載の血液測定装置の制御方法。
【発明の詳細な説明】
【技術分野】
【０００１】
本発明は、血液測定装置および血液測定装置の制御方法に関する。
【背景技術】
【０００２】
血液等の検体を自動で測定する血液測定装置が知られている。血液測定装置は、検体希釈液を用いて検体を希釈して測定を行うための測定試料を調製する。また、特許文献１には、ＲＯ膜処理を施したＲＯ水により高濃度試薬を希釈して低濃度試薬を生成し、生成した低濃度試薬を検体希釈液として用いる試薬調製装置が開示されている。
【先行技術文献】
【特許文献】
【０００３】
【特許文献１】特開２０１０−１９７２９２号公報
【発明の概要】
【発明が解決しようとする課題】
【０００４】
特許文献１に記載の血液測定装置では、検体希釈液が、検体の希釈の他に、フローサイトメータに測定試料を流すためのシース液や、血液測定装置の試料調製部や検出部を洗浄するための洗浄液としても用いられている。ここで、検体希釈液を多量に用いたことにより検体希釈液を生成するための高濃度試薬がなくなった場合には、検体の測定を行うことができなくなり、円滑な測定が阻害されることとなる。このため、高濃度試薬の消費量を抑制することが求められていた。
【課題を解決するための手段】
【０００５】
本発明の第１の態様に係る血液測定装置は、高濃度試薬を貯留するための高濃度試薬貯留部と、高濃度試薬を希釈する純水を貯留するための純水貯留部と、高濃度試薬および純水を混合して調製された試薬を貯留するための試薬貯留部と、を備える試薬調製ユニットと、血液検体および試薬を混合して測定試料を調製するための試料調製部と、測定試料中の赤血球を測定するための測定部と、純水貯留部および試薬貯留部に接続され、純水および試薬を供給するための流体供給部と、を備える測定ユニットと、流体供給部の動作を制御する制御部と、を備える。制御部は、測定ユニットの洗浄動作を行う際に、測定試料の測定結果に影響がある部位は試薬を用いて洗浄し、測定試料の測定結果に影響がある部位よりも影響が少ない部位は純水を用いて洗浄するよう流体供給部を制御する。
【０００６】
本発明の第２の態様は、血液検体および試薬を混合して測定試料を調製する試料調製部と、測定試料を測定する測定部とを備える血液測定装置の制御方法に関する。本態様に係る血液測定装置の制御方法は、高濃度試薬および純水を混合して試薬を調製し、測定部の洗浄動作を行う場合、測定試料の測定結果に影響がある部位は試薬を用いて洗浄し、測定試料の測定結果に影響がある部位よりも影響が少ない部位は純水を用いて洗浄する。
【発明の効果】
【０００７】
本発明によれば、血液測定装置における高濃度試薬の消費量を抑制することが可能となる。
【図面の簡単な説明】
【０００８】
【図１】図１は、実施形態に係る血液測定装置の構成を示すブロック図である。
【図２】図２（ａ）は、実施形態に係る吸引管および洗浄器をＸ軸負方向に見た場合の図であり、図２（ｂ）は、実施形態に係る洗浄器をＺ軸正方向に見た場合の図である。
【図３】図３（ａ）は、実施形態に係る電気抵抗式検出部のフローセルの構成を示す図であり、図３（ｂ）は、実施形態に係る光学式検出部のフローセルの構成を示す図であり、図３（ｃ）は、実施形態に係るヘモグロビン測定部の構成を示す図であり、図３（ｄ）は、実施形態に係る純水貯留部のフロートスイッチの構成を示す図である。
【図４】図４（ａ）、（ｂ）は、実施形態に係る流体供給部の構成を示す図である。
【図５】図５は、実施形態に係る流体供給部の構成を示す図である。
【図６】図６（ａ）〜（ｃ）は、それぞれ、実施形態に係る第１測定、第２測定および第３測定における制御部による制御を示すフローチャートである。
【図７】図７（ａ）、（ｂ）は、それぞれ、実施形態に係る第１試料調製部および第２試料調製部の洗浄における制御部による制御を示すフローチャートである。
【図８】図８（ａ）〜（ｃ）は、それぞれ、実施形態に係る電気抵抗式検出部、光学式検出部およびヘモグロビン測定部の洗浄における制御部による制御を示すフローチャートである。
【図９】図９（ａ）〜（ｃ）は、実施形態に係る吸引管の洗浄、シャットダウン処理および純水貯留部の異常処理における制御部による制御を示すフローチャートである。
【発明を実施するための形態】
【０００９】
以下に示す実施形態は、血液検体に含まれる血球等を測定するための装置に本発明を適用したものである。なお、本発明における純水とは、不純物を取り除く処理が行われた水のことであり、ＲＯ水、精製水、脱イオン水、蒸留水などを含んでいる。純水の純度は限定されない。
【００１０】
図１に示すように、血液測定装置１０は、純水供給ユニット２０と、試薬調製ユニット３０と、測定ユニット４０と、を備える。純水供給ユニット２０と、試薬調製ユニット３０と、測定ユニット４０は、それぞれ、別の装置として構成されても良い。すなわち、純水供給ユニット２０は、純水供給装置として構成されても良く、試薬調製ユニット３０は、試薬調製装置として構成されても良く、測定ユニット４０は、測定装置として構成されても良い。
【００１１】
純水供給ユニット２０は、フィルタ２１と、高圧ポンプ２２と、膜２３と、純水タンク２４と、を備える。フィルタ２１は、水道水に含まれる不純物を取り除く。高圧ポンプ２２は、水分子が膜２３を透過するようフィルタ２１を通過した水道水に高圧をかけて、純水を作製する。純水タンク２４は、膜２３を透過した純水を貯留する。純水は、後述するように、高濃度試薬と高濃度溶血剤を希釈する際に用いられるほか、測定ユニット４０の測定および洗浄にも用いられる。
【００１２】
ここで、実施形態においては、純水としてＲＯ水を用いている。ＲＯ水とは、逆浸透膜、すなわちＲＯ（Reverse Osmosis）膜を透過することによって不純物を取り除かれた水のことである。したがって、実施形態の膜２３は、ＲＯ膜である。
【００１３】
試薬調製ユニット３０は、調製制御部３１と、純水貯留部３２と、高濃度試薬貯留部３３と、試薬貯留部３４と、高濃度溶血剤貯留部３５と、溶血剤貯留部３６と、を備える。調製制御部３１は、たとえばＣＰＵである。調製制御部３１が試薬調製ユニット３０の図示しない空圧源およびバルブの動作を制御することにより、試薬調製ユニット３０内において流体が移送される。
【００１４】
純水貯留部３２は、純水を貯留する。純水貯留部３２は、図３（ｄ）を参照して後述するフロートスイッチ３２ａ、３２ｂを備える。調製制御部３１は、フロートスイッチ３２ａ、３２ｂの検出信号に基づいて、純水貯留部３２の貯留量が所定範囲に収まるよう、純水タンク２４の純水を純水貯留部３２に供給する。
【００１５】
高濃度試薬貯留部３３は、高濃度試薬容器から供給された高濃度試薬を貯留する。高濃度試薬は、導電性を有する電解質と、防腐剤と、を含む。実施形態の電解質は、ＮａＣｌである。防腐剤としては、（２−ピリジルチオ−１−オキシド）ナトリウムが挙げられる。防腐剤は、たとえば、ＴＫＭ−Ａ（株式会社エーピーアイコーポレーション製）が（２−ピリジルチオ−１−オキシド）ナトリウムを含むものとして構成される。試薬貯留部３４は、高濃度試薬貯留部３３に貯留された高濃度試薬と、純水貯留部３２に貯留された純水とを混合して調製された低濃度試薬を貯留する。試薬貯留部３４に所定量の高濃度試薬および所定量の純水が供給されることにより、低濃度試薬が調製される。低濃度試薬は、血液検体中の血球に対して略影響を与えない浸透圧に設定されている。
【００１６】
高濃度溶血剤貯留部３５は、高濃度溶血剤を貯留する。溶血剤貯留部３６は、高濃度溶血剤貯留部３５に貯留された高濃度溶血剤と、純水貯留部３２に貯留された純水とを混合して調製された溶血剤を貯留する。溶血剤貯留部３６に所定量の高濃度溶血剤および所定量の純水が供給されることにより、溶血剤が調製される。
【００１７】
測定ユニット４０は、制御部４１と、流体供給部４２と、吸引部５０と、第１試料調製部６１と、第２試料調製部６２と、測定部７０と、を備える。吸引部５０は、吸引管５１と洗浄器５２を備える。測定部７０は、電気抵抗式検出部７１と、光学式検出部７２と、ヘモグロビン測定部７３と、を備える。
【００１８】
なお、この実施形態では測定ユニット４０内に制御部４１を組み込んだ構成としているが、測定ユニット４０外に別体のパーソナルコンピュータ等として制御部４１を設けてもよい。
【００１９】
制御部４１は、たとえばＣＰＵである。制御部４１は、測定ユニット４０の各部が出力する信号を受信し、測定ユニット４０の各部の動作を制御する。制御部４１は、調製制御部３１と通信を行う。
【００２０】
流体供給部４２は、純水貯留部３２と、試薬貯留部３４と、溶血剤貯留部３６とに接続されている。流体供給部４２は、吸引部５０に純水および低濃度試薬を供給し、第１試料調製部６１に低濃度試薬を供給し、第２試料調製部６２に純水、低濃度試薬および溶血剤を供給し、測定部７０に純水および低濃度試薬を供給する。流体供給部４２の構成については、追って図４（ａ）、（ｂ）と図５を参照して説明する。
【００２１】
吸引管５１は、血液測定装置１０が受け付けた検体容器から血液検体を吸引し、第１試料調製部６１と第２試料調製部６２に吐出する。洗浄器５２は、吸引管５１の外部を洗浄する。洗浄器５２の構成については、追って図２（ａ）、（ｂ）を参照して説明する。
【００２２】
第１試料調製部６１は、血液検体と低濃度試薬を混合して、第１測定試料を調製する。第２試料調製部６２は、血液検体、溶血剤および染色液を混合して、第２測定試料を調製する。溶血剤は、赤血球を溶解させる。染色液は、白血球の核酸を染色する。染色液は、図５を参照して後述するように、染色液貯留部３７から供給される。第１試料調製部６１は、第１測定試料とヘモグロビン溶血剤とを混合して、第３測定試料を調製する。ヘモグロビン溶血剤は、血液中のヘモグロビンをＳＬＳ−ヘモグロビンへと転化させる。ヘモグロビン溶血剤は、図５を参照して後述するように、ヘモグロビン溶血剤貯留部３８から供給される。
【００２３】
測定部７０は、第１〜第３測定試料を測定する。具体的には、電気抵抗式検出部７１は、シースフローＤＣ検出法により、第１測定試料の測定、すなわち第１測定を行う。電気抵抗式検出部７１は、フローセル７１ａを備え、フローセル７１ａをシース液とともに流れる第１測定試料を測定する。第１測定は、赤血球および血小板に関する測定である。光学式検出部７２は、フローサイトメトリー法により、第２測定試料の測定、すなわち第２測定を行う。光学式検出部７２は、フローセル７２ａを備え、フローセル７２ａをシース液とともに流れる第２測定試料を測定する。第２測定は、白血球に関する測定である。ヘモグロビン測定部７３は、ＳＬＳ−ヘモグロビン法により、第３測定試料の測定、すなわち第３測定を行う。ヘモグロビン測定部７３は、セル７３ａを備え、セル７３ａに収容された第３測定試料を測定する。第３測定は、ヘモグロビンに関する測定である。
【００２４】
次に、測定時の制御の概要について説明する。
【００２５】
流体供給部４２は、制御部４１の制御に基づいて、第１測定の際に、電気抵抗式検出部７１のフローセル７１ａにシース液として低濃度試薬を供給しながら、第１測定試料をフローセル７１ａに流す。電気抵抗式検出部７１は、フローセル７１ａを流れる第１測定試料中の赤血球および血小板を測定して、各血球に基づく検出信号を取得する。電気抵抗式検出部７１の検出信号は、図示しない信号処理回路で処理され、制御部４１に送られる。フローセル７１ａの構成については、追って図３（ａ）を参照して説明する。
【００２６】
流体供給部４２は、制御部４１の制御に基づいて、第２測定の際に、光学式検出部７２のフローセル７２ａにシース液として純水を供給しながら、第２測定試料をフローセル７２ａに流す。光学式検出部７２は、フローセル７２ａを流れる第２測定試料中の白血球を測定して、各血球に基づく検出信号を取得する。光学式検出部７２の検出信号は、図示しない信号処理回路で処理され、制御部４１に送られる。フローセル７２ａの構成については、追って図３（ｂ）を参照して説明する。
【００２７】
流体供給部４２は、制御部４１の制御に基づいて、第３測定の際に、ヘモグロビン測定部７３のセル７３ａに純水を供給し、その後、セル７３ａに第３測定試料を収容させる。ヘモグロビン測定部７３は、第３測定試料による吸光度に基づく検出信号を取得する。ヘモグロビン測定部７３の検出信号は、図示しない信号処理回路で処理され、制御部４１に送られる。ヘモグロビン測定部７３の構成については、追って図３（ｃ）を参照して説明する。
【００２８】
次に、洗浄時の制御の概要について説明する。
【００２９】
流体供給部４２は、制御部４１の制御に基づいて、測定ユニット４０の洗浄動作を行う際に、第１〜第３測定試料の測定結果に影響が少ない部位は純水を用いて洗浄し、第１〜第３測定試料の測定結果に影響がある部位は低濃度試薬を用いて洗浄する。具体的には、以下のとおりである。
【００３０】
流体供給部４２は、制御部４１の制御に基づいて、低濃度試薬を用いて吸引管５１の内部の洗浄を行い、純水を用いて洗浄器５２を介して吸引管５１の外部の洗浄を行う。流体供給部４２は、制御部４１の制御に基づいて、低濃度試薬を用いて第１試料調製部６１の洗浄を行う。流体供給部４２は、制御部４１の制御に基づいて、純水を用いて第２試料調製部６２の洗浄を行う。流体供給部４２は、制御部４１の制御に基づいて、低濃度試薬を用いて電気抵抗式検出部７１の洗浄を行う。流体供給部４２は、制御部４１の制御に基づいて、純水を用いて光学式検出部７２の洗浄を行う。
【００３１】
制御部４１が、測定ユニット４０のシャットダウン指示を受け付けた場合には、流体供給部４２は、制御部４１の制御に基づいて、純水を用いて洗浄を行った測定ユニット４０の所定部位の洗浄を、低濃度試薬を用いて行う。具体的に、所定部位は、第２試料調製部６２、光学式検出部７２、ヘモグロビン測定部７３、および、吸引管５１の外部である。
【００３２】
図２（ａ）、（ｂ）に示すように、洗浄器５２は、吸引管５１に対応する位置に配置されている。洗浄器５２は、鉛直方向の所定位置で支持され、且つ、吸引管５１とともに水平方向に移動可能に支持されている。図２（ａ）、（ｂ）には、便宜上、互いに９０度の角をなすＸ、Ｙ、Ｚ軸が図示されている。Ｚ軸正方向は、鉛直上方向である。
【００３３】
洗浄器５２は、本体部１１０と絞り部１２０を備える。本体部１１０には、貫通孔１３０と、供給路１４０と、排出路１５０と、が形成されている。絞り部１２０は、本体部１１０の下面の中央に設置されている。絞り部１２０には、絞り部１２０を上下方向に貫通する貫通孔１２１が形成されている。貫通孔１２１の内径Ｄ２は、吸引管５１の外径Ｄ１よりも大きく、後述する上部孔部１３１の内径Ｄ３よりも小さい。貫通孔１２１の水平面による断面は、円形状である。絞り部１２０の中心軸と貫通孔１３０の中心軸は、一致している。
【００３４】
貫通孔１３０は、本体部１１０を上下方向に貫通し、上部孔部１３１と下部孔部１３２を含む。上部孔部１３１と下部孔部１３２は、それぞれ、貫通孔１３０の上部と下部に位置する。上部孔部１３１と下部孔部１３２の水平面による断面は、いずれも円形状である。上部孔部１３１の内径Ｄ３は、下部孔部１３２の内径Ｄ４よりも小さい。上部孔部１３１と下部孔部１３２の間には、上部孔部１３１から下部孔部１３２に向かって徐々に内径が大きくなるようにテーパ部１３３が設けられている。供給路１４０は、下部孔部１３２に対応する位置で水平方向に延びるように形成されている。排出路１５０は、上部孔部１３１に対応する位置で水平方向に延びるように形成されている。
【００３５】
吸引管５１の下端は、検体容器の密閉蓋を貫通可能なように針状に形成されている。吸引管５１は、血液検体の吸引を行う際に下方向に移動され、検体容器の密閉蓋に貫通させられる。この状態で、吸引管５１は血液検体の吸引を行う。血液検体の吸引が終了すると、吸引管５１は上方向に移動され、その後、第１試料調製部６１または第２試料調製部６２の上方まで水平移動される。吸引管５１は、血液検体の吐出を行う際に下方向に移動され、第１試料調製部６１または第２試料調製部６２に血液検体を吐出する。その後、吸引管５１は上方向に移動される。
【００３６】
吸引管５１は、血液検体の吸引および吐出を行う際に、貫通孔１３０と絞り部１２０を通って上下方向に移動される。洗浄器５２は、吸引管５１が上方向に移動する際に、吸引管５１の外部を洗浄する。具体的には、供給路１４０から貫通孔１３０内に供給された純水が、下部孔部１３２で旋回しながら上昇して、上部孔部１３１に位置する排出路１５０から排出される。洗浄器５２は、この旋回流を利用して、貫通孔１３０内を上昇する吸引管５１の外部を洗浄する。
【００３７】
図３（ａ）に示すように、電気抵抗式検出部７１のフローセル７１ａは、試料ノズル７１ｂと、チャンバ７１ｃと、アパーチャ７１ｄと、回収管７１ｅと、チャンバ７１ｆと、を備える。
【００３８】
試料ノズル７１ｂは、第１測定試料を上方向に送り出す。チャンバ７１ｃは、上方へ向かうにしたがって細くなるテーパ形状を有する。チャンバ７１ｃ内には、シース液として低濃度試薬が供給される。第１測定試料は、シース液に包まれた状態で、アパーチャ７１ｄを通って回収管７１ｅへと進む。第１測定試料に含まれる血球は、一列に整列した状態でアパーチャ７１ｄを通る。
【００３９】
アパーチャ７１ｄには電極が設けられている。第１測定において、アパーチャ７１ｄの電極間に直流電流が供給され、第１測定試料がアパーチャ７１ｄを通過するときの直流抵抗の変化が検出される。上述したように、第１測定試料は、血液検体と低濃度試薬が混合されることにより調製されており、低濃度試薬は、電解質を含んでいるため導電性を有する。これにより、第１測定試料中の血球がアパーチャ７１ｄを通過するときに直流抵抗が増大するため、検出信号は、アパーチャ７１ｄを通過する血球の情報を反映することになる。したがって、この検出信号により、赤血球や血小板の計数が可能になる。電気抵抗式検出部７１は、検出信号を後段の信号処理回路に出力する。
【００４０】
チャンバ７１ｆは、回収管７１ｅ側のシース液として低濃度試薬が供給される。このシース液は、チャンバ７１ｆの回収管７１ｅの外側領域を下方へ向けて流れる。回収管７１ｅの外側を流れるシース液は、チャンバ７１ｆの下端に到達した後、回収管７１ｅの内部へと流れる。これにより、アパーチャ７１ｄを通過した血球の舞い戻りが防止され、血球の誤検出が防止される。
【００４１】
電気抵抗式検出部７１の洗浄の際には、試料ノズル７１ｂに低濃度試薬が供給され、試料ノズル７１ｂから低濃度試薬が上方向に送り出される。チャンバ７１ｃ、７１ｆには、第１測定の場合と同様、低濃度試薬が供給される。こうして、電気抵抗式検出部７１の洗浄が行われる。
【００４２】
図３（ｂ）に示すように、光学式検出部７２のフローセル７２ａは、シース液供給口７２ｂと、試料ノズル７２ｃと、細孔部７２ｄと、廃液口７２ｅと、を備える。
【００４３】
シース液供給口７２ｂは、シース液として純水をフローセル７２ａ内に供給する。試料ノズル７２ｃは、フローセル７２ａ内において第２測定試料を上方向に送り出す。第２測定試料は、シース液に包まれた状態で、細孔部７２ｄに形成されている流路７２ｆを通って廃液口７２ｅへと進む。第２測定試料に含まれる血球は、一列に整列した状態で流路７２ｆを通る。
【００４４】
流路７２ｆには、所定波長のレーザ光が照射される。第２測定において、流路７２ｆを通る第２測定試料にレーザ光が照射されると、第２測定試料中の血球から前方散乱光、側方散乱光および蛍光が生じる。前方散乱光、側方散乱光および蛍光の強度は、光学式検出部７２の受光部によって検出される。前方散乱光の強度は、血球の大きさに関する情報を反映し、側方散乱光の強度は、血球の内部情報を反映し、蛍光の強度は、血球の染色度合いを反映する。したがって、この検出信号により、白血球の計数が可能になる。光学式検出部７２は、検出信号を後段の信号処理回路に出力する。
【００４５】
光学式検出部７２の洗浄の際には、試料ノズル７２ｃに純水が供給され、試料ノズル７２ｃから純水が上方向に送り出される。シース液供給口７２ｂには、第２測定の場合と同様、純水が供給される。こうして、光学式検出部７２の洗浄が行われる。
【００４６】
図３（ｃ）に示すように、ヘモグロビン測定部７３は、セル７３ａと、発光ダイオード７３ｂと、受光素子７３ｃと、を備える。
【００４７】
セル７３ａは、透光性の高いプラスチック材料で構成されている。発光ダイオード７３ｂは、ＳＬＳ−ヘモグロビンによる吸光率が高い波長の光をセル７３ａに照射する。受光素子７３ｃは、セル７３ａを挟んで発光ダイオード７３ｂに対向して配置されており、セル７３ａを透過した透過光を受光する。
【００４８】
セル７３ａには、予め純水が満たされる。第３測定の際には、第３測定試料がセル７３ａに供給され、セル７３ａに収容される。この状態で、発光ダイオード７３ｂが発光され、受光素子７３ｃにより透過光が受光される。セル７３ａは透光性の高いプラスチック材料で構成されているため、受光素子７３ｃは、発光ダイオード７３ｂからの光のうち、第３測定試料によって吸光されなかった透過光のみを受光する。受光素子７３ｃは、透過光の強度を検出する。この検出信号は、吸光度に対応するものである。ヘモグロビン測定部７３は、検出信号を後段の信号処理回路に出力する。信号処理回路では、この吸光度と予め測定された低濃度試薬のみの吸光度とを比較し、ヘモグロビン値を算出する。
【００４９】
図３（ｄ）に示すように、純水貯留部３２において、上部から純水が供給され、下部から純水が抜き取られる。純水貯留部３２は、フロートスイッチ３２ａ、３２ｂを備える。フロートスイッチ３２ａは、純水貯留部３２の貯留量が上限量に達したことを検出する。フロートスイッチ３２ｂは、純水貯留部３２の貯留量が下限量に達したことを検出する。調製制御部３１は、フロートスイッチ３２ａ、３２ｂの検出信号に基づいて、純水貯留部３２内に下限量以上かつ上限量以下の純水が貯留されるよう、純水タンク２４の純水を純水貯留部３２へ供給する。
【００５０】
次に、図４（ａ）、（ｂ）と図５に示す流体供給部４２の構成を参照して、制御部４１による流体供給部４２の制御について説明する。図４（ａ）、（ｂ）と図５において、位置１１〜１３は、流体供給部４２の流路上の位置を示している。すなわち、図４（ａ）の位置１１は、図４（ｂ）と図５の位置１１と結合している。図４（ａ）の位置１２は、図５の位置１２と結合している。図４（ａ）の位置１３は、図４（ｂ）と図５の位置１３と結合している。
【００５１】
図４（ａ）、（ｂ）と図５に示すように、流体供給部４２は、試薬チャンバ２０１と、純水チャンバ２０２と、圧力部２１１、２１２と、ダイヤフラムポンプ３０１〜３０６と、シリンジポンプ３１１、３１２と、バルブ４０１〜４３５と、廃液チャンバ５０１、５０２と、を備える。
【００５２】
圧力部２１１、２１２は、流路に陽圧および負圧をかける。ダイヤフラムポンプ３０１〜３０６は、陰圧駆動されると、流路側の流体を所定量だけ取り込み、陽圧駆動されると、取り込んだ流体を流路側に送り出す。バルブ４０１〜４３５は、電磁的に開閉可能に構成されている。以下の説明において、特に言及しない限りバルブ４０１〜４３５は閉じられているものとする。廃液チャンバ５０１、５０２には、図示しない圧力部が接続されており、この圧力部により、廃液チャンバ５０１、５０２へと流体が移動される。圧力部２１１、２１２と、ダイヤフラムポンプ３０１〜３０６と、シリンジポンプ３１１、３１２と、バルブ４０１〜４３５は、制御部４１により制御される。
【００５３】
図４（ａ）を参照して、制御部４１は、バルブ４０１、４０２を開いて圧力部２１１を駆動することにより、試薬貯留部３４の低濃度試薬を試薬チャンバ２０１に送る。制御部４１は、バルブ４０３を開いて圧力部２１２を駆動することにより、純水貯留部３２の純水を純水チャンバ２０２に送る。
【００５４】
制御部４１は、バルブ４０２、４０４とダイヤフラムポンプ３０１を駆動することにより、試薬チャンバ２０１の低濃度試薬を位置１１に送る。制御部４１は、バルブ４０２、４０５とダイヤフラムポンプ３０２を駆動することにより、試薬チャンバ２０１の低濃度試薬を位置１２に送る。制御部４１は、バルブ４０６、４０４とダイヤフラムポンプ３０１を駆動することにより、純水チャンバ２０２の純水を位置１１に送る。制御部４１は、バルブ４０６、４０５とダイヤフラムポンプ３０２を駆動することにより、純水チャンバ２０２の純水を位置１２に送る。
【００５５】
制御部４１は、バルブ４０７を開いて圧力部２１１を駆動することにより、試薬チャンバ２０１の低濃度試薬を位置１３に送る。制御部４１は、バルブ４０８を開いて圧力部２１２を駆動することにより、純水チャンバ２０２の純水を位置１３に送る。
【００５６】
以下の説明において、位置１１〜１３に、それぞれ純水および低濃度試薬が送られる動作は、上記の通り、制御部４１が流体供給部４２を制御することにより行われる。
【００５７】
図４（ｂ）を参照して、制御部４１は、シリンジポンプ３１１を駆動することにより、吸引管５１に血液検体を吸引させる。制御部４１は、血液検体の吸引の際にバルブ４０９を開閉する。制御部４１は、シリンジポンプ３１１を駆動することにより、吸引管５１に血液検体を吐出させる。このようにして、検体容器から吸引された血液検体が、第１試料調製部６１と第２試料調製部６２に供給される。
【００５８】
制御部４１は、バルブ４１０を開くことにより、位置１１に送られた低濃度試薬を、シリンジポンプ３１１から吸引管５１へと繋がる流路に送る。制御部４１は、バルブ４１１を開くことにより、シリンジポンプ３１１から吸引管５１へと送った低濃度試薬を廃液チャンバ５０１に送る。具体的には、吸引管５１の先端から吐出される低濃度試薬は、図２（ａ）、（ｂ）に示す洗浄器５２の排出路１５０を通ってバルブ４１１側へと送られる。これにより、吸引管５１の内部が洗浄される。
【００５９】
制御部４１は、バルブ４１２、４１１を開くことにより、位置１３に送られた純水を、洗浄器５２を介して廃液チャンバ５０１に送る。具体的には、洗浄器５２に送られる純水は、図２（ａ）、（ｂ）に示す洗浄器５２の供給路１４０と排出路１５０を通ってバルブ４１１側へと送られる。これにより、吸引管５１の外部が洗浄される。
【００６０】
図５を参照して、第１測定を行う場合の、制御部４１による流体供給部４２の制御について説明する。
【００６１】
制御部４１は、バルブ４１３を開くことにより、位置１１に送られた低濃度試薬を所定量だけ第１試料調製部６１に供給する。制御部４１は、吸引管５１を介して血液検体を所定量だけ第１試料調製部６１に吐出する。制御部４１は、再度バルブ４１３を開くことにより、位置１１に送られた低濃度試薬を所定量だけ第１試料調製部６１に供給する。これにより、第１試料調製部６１において第１測定試料が調製される。
【００６２】
制御部４１は、バルブ４１４、４１５を開いてダイヤフラムポンプ３０３を駆動することにより、第１試料調製部６１の第１測定試料のうち、所定量の第１測定試料を、第１試料調製部６１と電気抵抗式検出部７１の間の流路に位置付ける。制御部４１は、バルブ４１６を開くことにより、位置１３に送られた低濃度試薬を、シース液として電気抵抗式検出部７１に供給する。制御部４１は、バルブ４１７を開いてシリンジポンプ３１２を駆動することにより、第１試料調製部６１と電気抵抗式検出部７１の間の流路に位置付けられた第１測定試料を、電気抵抗式検出部７１に供給する。図３（ａ）に示す回収管７１ｅは廃液チャンバ５０２に接続されており、回収管７１ｅにより回収された第１測定試料および低濃度試薬は、廃液チャンバ５０２に送られる。こうして、電気抵抗式検出部７１による第１測定が行われる。
【００６３】
次に、第３測定を行う場合の、制御部４１による流体供給部４２の制御について説明する。
【００６４】
制御部４１は、バルブ４１８、４１９とダイヤフラムポンプ３０４を駆動することにより、ヘモグロビン溶血剤貯留部３８のヘモグロビン溶血剤を所定量だけ第１試料調製部６１に供給する。これにより、第１試料調製部６１において、残っている第１測定試料とヘモグロビン溶血剤とが混合され、第３測定試料が調製される。
【００６５】
制御部４１は、ヘモグロビン測定部７３のセル７３ａに純水が満たされていない場合、バルブ４２０を開くことにより、位置１２に送られた純水をヘモグロビン測定部７３に供給する。これにより、ヘモグロビン測定部７３のセル７３ａには、純水が満たされる。制御部４１は、バルブ４２１を開いてダイヤフラムポンプ３０３を駆動することにより、ダイヤフラムポンプ３０３に取り込まれている流体を廃液チャンバ５０２に送る。
【００６６】
制御部４１は、バルブ４２２、４２３とダイヤフラムポンプ３０３を駆動することにより、第１試料調製部６１の第３測定試料を、ヘモグロビン測定部７３に供給する。こうして、セル７３ａに第３測定試料が供給され、ヘモグロビン測定部７３による第３測定が行われる。第３測定が終了すると、制御部４１は、バルブ４２３、４２１を開くことにより、セル７３ａ内の流体を廃液チャンバ５０２に送る。制御部４１は、バルブ４２０を開くことにより、位置１２に送られた純水をヘモグロビン測定部７３に供給する。これにより、セル７３ａには、次の第３測定のための純水が満たされる。
【００６７】
次に、第２測定を行う場合の、制御部４１による流体供給部４２の制御について説明する。
【００６８】
制御部４１は、バルブ４２４、４２５とダイヤフラムポンプ３０５を駆動することにより、溶血剤貯留部３６の溶血剤を所定量だけ第２試料調製部６２に供給する。制御部４１は、吸引管５１を介して血液検体を所定量だけ第２試料調製部６２に吐出する。制御部４１は、バルブ４２６、４２７とダイヤフラムポンプ３０６を駆動することにより、染色液貯留部３７の染色液を所定量だけ第２試料調製部６２に供給する。制御部４１は、再度バルブ４２４、４２５とダイヤフラムポンプ３０５を駆動することにより、溶血剤貯留部３６の溶血剤を所定量だけ第２試料調製部６２に供給する。これにより、第２試料調製部６２において第２測定試料が調製される。
【００６９】
制御部４１は、バルブ４２８、４２９を開いてダイヤフラムポンプ３０３を駆動することにより、第２試料調製部６２の第２測定試料を、第２試料調製部６２と光学式検出部７２の間の流路に位置付ける。制御部４１は、バルブ４３０を開くことにより、位置１３に送られた純水を、シース液として光学式検出部７２に供給する。制御部４１は、バルブ４３１を開いてシリンジポンプ３１２を駆動することにより、第２試料調製部６２と光学式検出部７２の間の流路に位置付けられた第２測定試料を、光学式検出部７２に供給する。図３（ｂ）に示す廃液口７２ｅから回収された第２測定試料および純水は、廃液チャンバ５０２に送られる。こうして、光学式検出部７２による第２測定が行われる。
【００７０】
次に、第１試料調製部６１、第２試料調製部６２、電気抵抗式検出部７１および光学式検出部７２を洗浄する場合の、制御部４１による流体供給部４２の制御について説明する。
【００７１】
制御部４１は、バルブ４１３を開くことにより、位置１１に送られた低濃度試薬を第１試料調製部６１に供給する。その後、制御部４１は、バルブ４３２を開くことにより、第１試料調製部６１内の流体を廃液チャンバ５０１に送る。こうして、第１試料調製部６１の洗浄が終了する。制御部４１は、バルブ４３３を開くことにより、位置１１に送られた純水を第２試料調製部６２に供給する。その後、制御部４１は、バルブ４３４を開くことにより、第２試料調製部６２内の流体を廃液チャンバ５０１に送る。こうして、第２試料調製部６２の洗浄が終了する。
【００７２】
制御部４１は、バルブ４３５、４１７を開くことにより、位置１３に送られた低濃度試薬を電気抵抗式検出部７１に供給する。制御部４１は、バルブ４１６を開くことにより、位置１３に送られた低濃度試薬を、シース液と同様に電気抵抗式検出部７１に供給する。こうして、電気抵抗式検出部７１の洗浄が終了する。制御部４１は、バルブ４３５、４３１を開くことにより、位置１３に送られた純水を光学式検出部７２に供給する。制御部４１は、バルブ４３０を開くことにより、位置１３に送られた純水を、シース液と同様に光学式検出部７２に供給する。こうして、光学式検出部７２の洗浄が終了する。
【００７３】
次に、図６（ａ）〜図９（ｃ）に示すフローチャートを参照して、制御部４１による制御について説明する。以下のフローチャートにおいて、各ステップの処理は、図４（ａ）、（ｂ）と図５を参照して説明したように、制御部４１が流体供給部４２の各部を制御することにより行われる。
【００７４】
図６（ａ）に示すように、ステップＳ１０１において、制御部４１は、第１試料調製部６１において低濃度試薬と血液検体を混合して第１測定試料を調製する。ステップＳ１０２において、制御部４１は、フローセル７１ａにシース液として低濃度試薬を供給する。ステップＳ１０３において、制御部４１は、フローセル７１ａに第１測定試料を流す。ステップＳ１０４において、制御部４１は、電気抵抗式検出部７１により第１測定を行う。
【００７５】
電気抵抗式検出部７１は、血液検体に所望の浸透圧の液体が混合された測定試料を測定することで、適正な測定結果を得るよう構成されている。また、電気抵抗式検出部７１は、血液検体に導電性を有する液体が混合された測定試料を測定することで、適正な測定結果を得るよう構成されている。したがって、第１測定試料の調製の際には、純水ではなく、所望の浸透圧を有するとともに電解質を含む低濃度試薬が用いられる。同様の理由から、第１測定の際には、第１測定の際に電気抵抗式検出部７１に流すシース液として、純水ではなく低濃度試薬が用いられる。
【００７６】
図６（ｂ）に示すように、ステップＳ１１１において、制御部４１は、第２試料調製部６２において、溶血剤、染色液および血液検体を混合して第２測定試料を調製する。ステップＳ１１２において、制御部４１は、フローセル７２ａにシース液として純水を供給する。ステップＳ１１３において、制御部４１は、フローセル７２ａに第２測定試料を流す。ステップＳ１１４において、制御部４１は、光学式検出部７２により第２測定を行う。
【００７７】
上述したように、第２測定は光学式検出部７２で行われるため、第２測定において、第１測定のように浸透圧および導電性を考慮する必要はない。したがって、第２測定の際に光学式検出部７２に流すシース液として、低濃度試薬ではなく純水が用いられ得る。これにより、低濃度試薬の消費量が抑制できるため、高濃度試薬の消費量も抑制できる。
【００７８】
図６（ｃ）に示すように、ステップＳ１２１において、制御部４１は、第１試料調製部６１において第１測定試料およびヘモグロビン溶血剤を混合して第３測定試料を調製する。ステップＳ１２２において、制御部４１は、直前に第３測定が行われておらずセル７３ａに純水が満たされていない場合に、セル７３ａに純水を供給する。ステップＳ１２３において、制御部４１は、セル７３ａに第３測定試料を収容する。ステップＳ１２４において、制御部４１は、ヘモグロビン測定部７３により第３測定を行う。第３測定が終了すると、ステップＳ１２５において、制御部４１は、セル７３ａ内の流体を廃液チャンバ５０２に排出し、セル７３ａに純水を供給する。
【００７９】
上述したように、第３測定はヘモグロビン測定部７３で行われるため、第３測定において、第１測定のように浸透圧および導電性を考慮する必要はない。したがって、第３測定においてセル７３ａに供給する流体として、低濃度試薬ではなく純水が用いられ得る。これにより、低濃度試薬の消費量が抑制できるため、高濃度試薬の消費量も抑制できる。
【００８０】
図７（ａ）に示すように、ステップＳ２０１において、制御部４１は、所定量の低濃度試薬を第１試料調製部６１に供給する。所定量とは、たとえば第１および第３測定の際に調製される第１および第３測定試料よりも多い量である。ステップＳ２０２において、制御部４１は、第１試料調製部６１内の流体を廃液チャンバ５０１に排出する。これにより、第１試料調製部６１が洗浄される。第１試料調製部６１の洗浄は、１つの血液検体に対する第１測定および第３測定が終了するごとに行われる。
【００８１】
第１試料調製部６１の洗浄に純水を用いると、洗浄時に第１試料調製部６１に残った純水が、次に第１測定試料を調製する際に第１測定試料に混ざる虞がある。したがって、第１測定試料を調製する場合と同様の理由で、第１試料調製部６１の洗浄の際には、純水ではなく低濃度試薬が用いられる。
【００８２】
図７（ｂ）に示すように、ステップＳ２１１において、制御部４１は、所定量の純水を第２試料調製部６２に供給する。所定量とは、たとえば第２測定の際に調製される第２測定試料よりも多い量である。ステップＳ２１２において、制御部４１は、第２試料調製部６２内の流体を廃液チャンバ５０１に排出する。これにより、第２試料調製部６２が洗浄される。第２試料調製部６２の洗浄は、第２測定が終了するごとに行われる。
【００８３】
第２試料調製部６２の洗浄に純水を用いたとしても、第２試料調製部６２は、光学式検出部７２の測定に用いる第２測定試料のみを調製するため、洗浄時に残った純水が、第２測定試料の調製の際に問題となることはない。したがって、第２試料調製部６２の洗浄の際には、低濃度試薬ではなく純水が用いられ得る。これにより、低濃度試薬の消費量が抑制できるため、高濃度試薬の消費量も抑制できる。
【００８４】
図８（ａ）に示すように、ステップＳ３０１において、制御部４１は、第１測定の場合と同様、フローセル７１ａにシース液として低濃度試薬を供給する。ステップＳ３０２において、制御部４１は、フローセル７１ａに低濃度試薬を流す。ステップＳ３０３において、制御部４１は、所定時間、たとえば１０秒が経過するまで、ステップＳ３０１、Ｓ３０２で開始した低濃度試薬の供給を続ける。所定時間が経過すると、ステップＳ３０４において、制御部４１は、ステップＳ３０１、Ｓ３０２で開始した低濃度試薬の供給を終了する。電気抵抗式検出部７１の洗浄は、第１測定が終了するごとに行われる。
【００８５】
電気抵抗式検出部７１の洗浄に純水を用いると、洗浄時に電気抵抗式検出部７１に残った純水が、次に第１測定を行う際に第１測定試料に混ざり、適正な測定結果が得られなくなる虞がある。したがって、第１試料調製部６１の洗浄の際には、純水ではなく低濃度試薬が用いられる。
【００８６】
図８（ｂ）に示すように、ステップＳ３１１において、制御部４１は、第２測定の場合と同様、フローセル７２ａにシース液として純水を供給する。ステップＳ３１２において、制御部４１は、フローセル７２ａに純水を流す。ステップＳ３１３において、制御部４１は、所定時間、たとえば１０秒が経過するまで、ステップＳ３１１、Ｓ３１２で開始した純水の供給を続ける。所定時間が経過すると、ステップＳ３１４において、制御部４１は、ステップＳ３１１、Ｓ３１２で開始した純水の供給を終了する。光学式検出部７２の洗浄は、第２測定が終了するごとに行われる。
【００８７】
光学式検出部７２の洗浄に純水が用いられたとしても、洗浄後に行われる第２測定の測定結果に与える影響は少ない。したがって、光学式検出部７２の洗浄の際には、低濃度試薬ではなく純水が用いられ得る。これにより、低濃度試薬の消費量が抑制できるため、高濃度試薬の消費量も抑制できる。
【００８８】
ここで、ヘモグロビン測定部７３では、上述したように、第３測定が終了すると、セル７３ａ内の流体が排出され、セル７３ａに純水が満たされる。これにより、セル７３ａの洗浄動作が別途行われなくても、特に問題となることはない。しかしながら、第３測定が終了したときに、セル７３ａの洗浄動作が別途行われるようにしても良い。この場合、図６（ｃ）に示す第３測定の処理が終了するごとに、図８（ｃ）に示す処理が実行される。
【００８９】
図８（ｃ）に示すように、図６（ｃ）に示す第３測定の処理が終了すると、ステップＳ３２１において、制御部４１は、セル７３ａ内の流体を廃液チャンバ５０２に排出する。これにより、第３測定の後でセル７３ａに供給され、セル７３ａの洗浄を行った純水が排出される。ステップＳ３２２において、制御部４１は、再度セル７３ａに純水を供給する。
【００９０】
このように、ヘモグロビン測定部７３の洗浄動作が別途行われると、セル７３ａの汚れが洗浄され得る。また、このようにヘモグロビン測定部７３の洗浄に純水が用いられても、洗浄後に行われる第３測定の測定結果に与える影響は少ない。したがって、ヘモグロビン測定部７３の洗浄の際には、低濃度試薬ではなく純水が用いられ得る。これにより、低濃度試薬の消費量が抑制できるため、高濃度試薬の消費量も抑制できる。
【００９１】
図９（ａ）に示すように、ステップＳ４０１において、制御部４１は、吸引管５１の内部に低濃度試薬を供給する。ステップＳ４０２において、制御部４１は、洗浄器５２を介して吸引管５１の外部に純水を供給する。これにより、吸引管５１の内部が低濃度試薬により洗浄され、吸引管５１の外部が純水により洗浄される。ステップＳ４０３において、制御部４１は、所定時間、たとえば３秒が経過するまで、ステップＳ４０１で開始した低濃度試薬の供給、および、ステップＳ４０２で開始した純水の供給を続ける。所定時間が経過すると、ステップＳ４０４において、制御部４１は、ステップＳ４０４で開始した供給を終了する。吸引管５１の内部と外部の洗浄は、１つの血液検体の吸引が終了するごとに行われる。吸引管５１の外部の洗浄は、吸引管５１が吸引および吐出の際に上昇させられるたびに行われても良い。
【００９２】
吸引管５１の内部の洗浄に純水を用いると、洗浄時に吸引管５１の内部に残った純水が、第１測定試料の調製の際に第１測定試料に混ざり、第１測定において適正な測定結果が得られなくなる虞がある。したがって、吸引管５１の内部を洗浄する際には、純水ではなく低濃度試薬が用いられる。
【００９３】
低濃度試薬が乾燥すると、低濃度試薬に含まれる電解質、たとえばＮａＣｌが析出する。このため、吸引管５１の外部の洗浄に低濃度試薬が用いられると、吸引管５１の外部に電解質が析出する。このような電解質が吸引管５１の外部に蓄積すると、吸引管５１が検体容器の密閉蓋を貫通しにくくなる。また、吸引管５１が、図２（ａ）、（ｂ）に示す洗浄器５２の貫通孔１２１、１３０を上下方向に移動しにくくなることも想定される。したがって、吸引管５１の外部に電解質が析出しないよう、吸引管５１の外部を洗浄する際には、低濃度試薬ではなく純水が用いられ得る。これにより、吸引管５１の外部に電解質が析出することを抑制できる。また、低濃度試薬の消費量が抑制できるため、高濃度試薬の消費量も抑制できる。
【００９４】
図９（ｂ）に示すように、ステップＳ４１１において、制御部４１は、オペレータが図示しない操作部を介して、血液測定装置１０のシャットダウン指示を入力したか否かを判定する。シャットダウン指示があると、ステップＳ４１２において、制御部４１は、第１試料調製部６１、電気抵抗式検出部７１および吸引管５１の内部を、低濃度試薬で洗浄する。低濃度試薬による第１試料調製部６１の洗浄は、図７（ａ）に示す処理と同様に行われる。低濃度試薬による電気抵抗式検出部７１の洗浄は、図８（ａ）に示す処理と同様に行われる。低濃度試薬による吸引管５１の内部の洗浄は、図９（ａ）に示すステップＳ４０１、Ｓ４０３、Ｓ４０４の処理と同様に行われる。
【００９５】
続いて、ステップＳ４１３において、制御部４１は、第２試料調製部６２、光学式検出部７２、ヘモグロビン測定部７３および吸引管５１の外部を、低濃度試薬で洗浄する。
【００９６】
低濃度試薬による第２試料調製部６２の洗浄は、図７（ｂ）に示す処理において、純水に代えて低濃度試薬が用いられることにより行われる。具体的には、ステップＳ２１１において、制御部４１は、バルブ４３３を開くことにより、位置１１に送られた所定量の低濃度試薬を第２試料調製部６２に供給する。
【００９７】
低濃度試薬による光学式検出部７２の洗浄は、図８（ｂ）に示す処理において、純水に代えて低濃度試薬が用いられることにより行われる。具体的には、ステップＳ３１１において、制御部４１は、バルブ４３０を開くことにより、位置１３に送られた低濃度試薬を、シース液と同様に光学式検出部７２に供給する。ステップＳ３１２において、制御部４１は、バルブ４３５、４３１を開くことにより、位置１３に送られた低濃度試薬を光学式検出部７２に供給する。
【００９８】
低濃度試薬によるヘモグロビン測定部７３の洗浄は、セル７３ａ内の純水が排出され、セル７３ａに低濃度試薬が流されることにより行われる。具体的には、制御部４１は、バルブ４２３、４２１を開くことにより、セル７３ａ内に満たされている純水を廃液チャンバ５０２に送る。続いて、制御部４１は、バルブ４２０を開くことにより、位置１２に送られた低濃度試薬をヘモグロビン測定部７３のセル７３ａに供給する。そして、制御部４１は、バルブ４２３、４２１を開くことにより、セル７３ａ内の低濃度試薬を廃液チャンバ５０２に送る。
【００９９】
低濃度試薬による吸引管５１の外部の洗浄は、図９（ａ）に示すステップＳ４０２〜Ｓ４０４において、純水に代えて低濃度試薬が用いられることにより行われる。具体的には、ステップＳ４０２において、制御部４１は、バルブ４１２、４１１を開くことにより、位置１３に送られた低濃度試薬を、洗浄器５２を介して廃液チャンバ５０１に送る。
【０１００】
このように洗浄が終了した後、ステップＳ４１４において、制御部４１は、血液測定装置１０のシャットダウンを実行する。血液測定装置１０がシャットダウンされ長時間が経過すると、洗浄動作の際に純水が供給されていた洗浄部位には、カビ等が生じる虞がある。しかしながら、上述したように、低濃度試薬は、防腐剤を含んでいる。したがって、シャットダウン操作に基づいてシャットダウンが行われる際に、ステップＳ４１３のように、洗浄動作の際に純水が供給されていた洗浄部位も低濃度試薬で洗浄されると、これらの部位にカビ等が生じることを抑制できる。
【０１０１】
図９（ｃ）に示すように、ステップＳ４２１において、制御部４１は、純水貯留部３２に異常が生じているか否かを判定する。たとえば、純水タンク２４の純水が減少している場合、調製制御部３１が純水タンク２４の純水を純水貯留部３２に供給する制御を行っても、純水貯留部３２の貯留量は所定範囲とならない。この場合、制御部４１は、調製制御部３１から異常が生じていることを示す異常情報を受信し、異常情報を受信した場合に、純水貯留部３２に異常が生じていると判定する。
【０１０２】
純水貯留部３２に異常が生じていると、ステップＳ４２２において、制御部４１は、流体供給部４２が供給する純水を低濃度試薬に切り替える。具体的には、制御部４１は、光学式検出部７２に対して、シース液として純水に代えて低濃度試薬を供給する。制御部４１は、ヘモグロビン測定部７３のセル７３ａに対して、純水に代えて低濃度試薬を供給する。制御部４１は、洗浄の際に、第２試料調製部６２、光学式検出部７２、および吸引管５１の外部に対し、純水に代えて低濃度試薬を供給する。純水に代えて低濃度試薬を供給する際の制御部４１による流体供給部４２の制御は、図９（ｂ）のシャットダウン処理で説明したとおりである。
【０１０３】
このように、純水貯留部３２に異常が生じている場合に、流体供給部４２が供給する純水を低濃度試薬に切り替えると、血液測定装置１０の動作を継続させることができる。
【０１０４】
なお、実施形態では、高濃度試薬容器から供給された高濃度試薬を希釈して低濃度試薬を調製したが、これに限られない。低濃度試薬が収容された低濃度試薬容器を直接血液測定装置に接続し、低濃度試薬容器から供給された低濃度試薬を用いて血液測定を行う構成としてもよい。この場合、別途設置された純水供給ユニット２０から純水を血液測定装置に供給することにより、実施形態同様の機能を実現できる。
【符号の説明】
【０１０５】
１０  …  血液測定装置
３０  …  試薬調製ユニット
３２  …  純水貯留部
３３  …  高濃度試薬貯留部
３４  …  試薬貯留部
４０  …  測定ユニット
４１  …  制御部
４２  …  流体供給部
５０  …  吸引部
５１  …  吸引管
５２  …  洗浄器
６１  …  第１試料調製部
６２  …  第２試料調製部
７０  …  測定部
７１  …  電気抵抗式検出部
７１ａ  …  フローセル
７２  …  光学式検出部
７２ａ  …  フローセル
７３  …  ヘモグロビン測定部
【図１】
2019148608.tif 000003
【図２】
2019148608.tif 000004
【図３】
2019148608.tif 000005
【図４】
2019148608.tif 000006
【図５】
2019148608.tif 000007
【図６】
2019148608.tif 000008
【図７】
2019148608.tif 000009
【図８】
2019148608.tif 000010
【図９】
2019148608.tif 000011
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
高濃度試薬を貯留するための高濃度試薬貯留部と、前記高濃度試薬を希釈する純水を貯留するための純水貯留部と、前記高濃度試薬および前記純水を混合して調製された試薬を貯留するための試薬貯留部と、を備える試薬調製ユニットと、
少なくとも第１部位および第２部位を有し、血液検体および前記試薬を混合して測定試料を調製して前記測定試料を測定し、前記純水および前記試薬を供給する測定ユニットと、
前記測定ユニットの動作を制御する制御部と、を備え、
前記制御部は、前記測定ユニットの洗浄動作を行う際に、前記試薬を用いて前記第１部位の洗浄を行い、前記純水を用いて前記第２部位の洗浄を行うように前記測定ユニットを制御する、血液測定装置。
【請求項２】
前記第１部位は、前記測定試料の測定結果に影響がある部位であり、
前記第２部位は、前記測定試料の測定結果に影響がある部位よりも影響が少ない部位である、請求項１に記載の血液測定装置。
【請求項３】
前記制御部は、前記洗浄動作を切り替えるように前記測定ユニットを制御する、請求項１または２に記載の血液測定装置。
【請求項４】
前記第２部位は、ヘモグロビンに関する測定を行うためのヘモグロビン測定部を含み、
前記制御部は、前記純水を用いて前記ヘモグロビン測定部の洗浄を行うよう前記測定ユニットを制御する、請求項１ないし３の何れか一項に記載の血液測定装置。
【請求項５】
前記第１部位は、第１測定試料を調製する第１試料調製部であり、
前記第２部位は、第２測定試料を調製する第２試料調製部であり、
前記制御部は、前記純水を用いて前記第２試料調製部の洗浄を行い、前記試薬を用いて前記第１試料調製部の洗浄を行うように前記測定ユニットを制御する、請求項１ないし４の何れか一項に記載の血液測定装置。
【請求項６】
前記測定ユニットは、前記血液検体を吸引するための吸引管をさらに備え、
前記制御部は、前記純水を用いて前記吸引管の外部の洗浄を行い、前記試薬を用いて前記吸引管の内部の洗浄を行うよう前記測定ユニットを制御する、請求項１ないし５の何れか一項に記載の血液測定装置。
【請求項７】
前記第２部位は、フローセルを備える光学式検出部を含み、
前記光学式検出部は、前記フローセルをシース液とともに流れる前記測定試料を測定し、
前記光学式検出部における前記フローセルのシース液として前記純水を用いる、請求項１ないし６の何れか一項に記載の血液測定装置。
【請求項８】
前記第１部位は、フローセルを備える電気抵抗式検出部を含み、
前記電気抵抗式検出部は、前記フローセルをシース液とともに流れる前記測定試料を測定し、
前記電気抵抗式検出部における前記フローセルのシース液として前記試薬を用いる、請求項１ないし６の何れか一項に記載の血液測定装置。
【請求項９】
前記制御部は、前記純水貯留部に異常が生じた場合に、前記第２部位に洗浄のために供給される前記純水を前記試薬に切り替えるよう前記測定ユニットを制御する、請求項１ないし８の何れか一項に記載の血液測定装置。
【請求項１０】
前記純水はＲＯ水である、請求項１ないし９の何れか一項に記載の血液測定装置。
【請求項１１】
少なくとも第１部位および第２部位を有し、血液検体および試薬を混合して測定試料を調製して前記測定試料を測定する測定ユニットを備える血液測定装置の制御方法であって、
高濃度試薬および純水を混合して前記試薬を調製し、
前記測定部ユニットの洗浄動作を行う場合、前記第１部位は前記試薬を用いて洗浄し、前記第２部位は前記純水を用いて洗浄する、血液測定装置の制御方法。
【請求項１２】
前記第１部位は、前記測定試料の測定結果に影響がある部位であり、
前記第２部位は、記測定試料の測定結果に影響がある部位よりも影響が少ない部位である、請求項１１に記載の血液測定装置の制御方法。
【請求項１３】
前記測定ユニットの洗浄動作において、前記第１部位と前記第２部位とで前記洗浄動作を切り替える、請求項１１または１２に記載の血液測定装置の制御方法。
【請求項１４】
前記測定ユニットの洗浄動作において、前記純水を用いて、ヘモグロビンに関する測定を行う前記第２部位を洗浄する、請求項１１ないし１３の何れか一項に記載の血液測定装置の制御方法。
【請求項１５】
前記試薬を用いて第１測定試料を調製する前記第１部位を洗浄し、前記純水を用いて第２測定試料を調製する前記第２部位を洗浄する、請求項１１ないし１４の何れか一項に記載の血液測定装置の制御方法。
【請求項１６】
前記純水を用いて前記血液検体を吸引するための吸引管の外部を洗浄し、前記試薬を用いて前記吸引管の内部を洗浄する、請求項１１ないし１５の何れか一項に記載の血液測定装置の制御方法。
【請求項１７】
前記純水を貯留するための純水貯留部に異常が生じた場合に、前記第２部位に洗浄のために供給される前記純水を前記試薬に切り替える、請求項１１ないし１６の何れか一項に記載の血液測定装置の制御方法。
【請求項１８】
前記純水はＲＯ水である、請求項１１ないし１７の何れか一項に記載の血液測定装置の制御方法。
【手続補正２】
【補正対象書類名】明細書
【補正対象項目名】０００５
【補正方法】変更
【補正の内容】
【０００５】
本発明の第１の態様に係る血液測定装置は、高濃度試薬を貯留するための高濃度試薬貯留部と、高濃度試薬を希釈する純水を貯留するための純水貯留部と、高濃度試薬および純水を混合して調製された試薬を貯留するための試薬貯留部と、を備える試薬調製ユニットと、少なくとも第１部位および第２部位を有し、血液検体および試薬を混合して測定試料を調製して測定試料を測定し、純水および試薬を供給するための測定ユニットと、測定ユニットの動作を制御する制御部と、を備える。制御部は、測定ユニットの洗浄動作を行う際に、試薬を用いて第１部位の洗浄を行い、純水を用いて第２部位の洗浄を行うように測定ユニットを制御する。
【手続補正３】
【補正対象書類名】明細書
【補正対象項目名】０００６
【補正方法】変更
【補正の内容】
【０００６】
本発明の第２の態様は、少なくとも第１部位および第２部位を有し、血液検体および試薬を混合して測定試料を調製して測定試料を測定する測定ユニットを備える血液測定装置の制御方法に関する。本態様に係る血液測定装置の制御方法は、高濃度試薬および純水を混合して試薬を調製し、測定ユニットの洗浄動作を行う場合、第１部位は試薬を用いて洗浄し、第２部位は純水を用いて洗浄する。